(57)【要約】【課題】  従来よりも素子数を削減したカップホルダ容器検出装置の提供。【解決手段】  （１）複数のカップ収容部２２を備えるカップホルダに用いられ、発光素子１１と、複数の受光素子１２と、発光素子１１からの光を複数に分けて受光素子１２に向けて反射させる反射部材１３と、を有するカップホルダ容器検出装置１０。（２）複数のカップ収容部２２を備えるカップホルダに用いられ、複数の発光素子１１と、受光素子１２と、複数の発光素子１１からの光を受光素子１２に向けて反射させる反射部材１３と、を有するカップホルダ容器検出装置１０。（３）カップ収容部２２の全周にわたって導光部材２３が設けられており、導光部材２３が発光素子１１からの光の通路上に位置する。【選択図】        図１
2006130955.tif 000002
【特許請求の範囲】
【請求項１】
複数のカップ収容部を備えるカップホルダに用いられるカップホルダ容器検出装置であって、
発光素子と、
複数の受光素子と、
前記発光素子からの光を複数に分けて前記受光素子に向けて反射させる反射部材と、
を有するカップホルダ容器検出装置。
【請求項２】
複数のカップ収容部を備えるカップホルダに用いられるカップホルダ容器検出装置であって、
複数の発光素子と、
受光素子と、
複数の前記発光素子からの光を前記受光素子に向けて反射させる反射部材と、
を有するカップホルダ容器検出装置。
【請求項３】
前記カップ収容部の全周にわたって光導体の導光部材が設けられており、該導光部材が前記発光素子からの光の通路上に位置する、請求項１または請求項２記載のカップホルダ容器検出装置。
【発明の詳細な説明】
【技術分野】
【０００１】
本発明は、カップホルダ容器検出装置に関し、特に車両用カップホルダのカップ収容部にカップが入れられたか否かを検出する検出装置に関する。
【背景技術】
【０００２】
特開２００３−１８２４３８号公報は、カップホルダにカップが入ったことを検出し、モータによってホールド機構を駆動させることによりカップ径によらずカップをホールドする、カップホルダを開示している。カップホルダにカップが入ったことを検出する検出装置には、発光素子と受光素子を備える光電センサが用いられている。
【０００３】
しかし、従来のカップホルダ容器検出装置には、つぎの問題点がある。
カップ収容部を２個有するカップホルダの場合、それぞれのカップ収容部に発光素子と受光素子が設けられている。そのため、素子数が多い。したがって、コストがかかり、また素子と接続する配線の取りまわしが煩雑になる。
【特許文献１】特開２００３−１８２４３８号公報
【発明の開示】
【発明が解決しようとする課題】
【０００４】
本発明が解決しようとする問題点は、素子数が多いことである。
本発明の目的は、従来よりも素子数を削減したカップホルダ容器検出装置を提供することにある。
【課題を解決するための手段】
【０００５】
上記目的を達成する本発明はつぎの通りである。
（１）  複数のカップ収容部を備えるカップホルダに用いられるカップホルダ容器検出装置であって、
発光素子と、
複数の受光素子と、
前記発光素子からの光を複数に分けて前記受光素子に向けて反射させる反射部材と、
を有するカップホルダ容器検出装置。
（２）  複数のカップ収容部を備えるカップホルダに用いられるカップホルダ容器検出装置であって、
複数の発光素子と、
受光素子と、
複数の前記発光素子からの光を前記受光素子に向けて反射させる反射部材と、
を有するカップホルダ容器検出装置。
（３）  前記カップ収容部の全周にわたって光導体の導光部材が設けられており、該導光部材が前記発光素子からの光の通路上に位置する、（１）または（２）記載のカップホルダ容器検出装置。
【発明の効果】
【０００６】
上記（１）のカップホルダ容器検出装置では、発光素子からの光を複数に分けて受光素子に向けて反射させる反射部材が設けられているので、発光素子の数を複数のカップ収容部数より少なくできる。そのため、従来より発光素子数を少なくできる。
上記（２）のカップホルダ容器検出装置では、複数の発光素子からの光を受光素子に向けて反射させる反射部材が設けられているので、受光素子の数をカップ収容部数より少なくできる。そのため、従来より受光素子数を少なくできる。
上記（３）のカップホルダ容器検出装置では、導光部材が発光素子からの光の通路上に位置するので、カップ収容部の側面に光路用の穴を設けなくても発光素子から受光素子に投光することができる。そのため、カップ収容部の側面に穴を設ける場合に比べてカップホルダの見栄えが良い。
また、光源からの光を導光部材に入れることで導光部材全体を光らせることができ、意匠性が向上する。
【発明を実施するための最良の形態】
【０００７】
図１、図２は、本発明実施例１のカップホルダ容器検出装置が用いられたカップホルダを示しており、図３は、本発明実施例２のカップホルダ容器検出装置が用いられたカップホルダを示している。ただし、図２は、本発明実施例２にも適用可能である。
本発明実施例１と本発明実施例２にわたって共通する部分には、本発明実施例１と本発明実施例２にわたって同じ符号を付してある。
まず、本発明実施例１と本発明実施例２にわたって共通する部分を、たとえば図１、図２を参照して、説明する。
本発明実施例のカップホルダ容器検出装置（以下、単に検出装置という）１０は、車両用カップホルダ２０に用いられる。
【０００８】
カップホルダ２０は、車両の内装部材であるインスツルメントパネル、コンソールパネル等に設けられる。カップホルダ２０は、図１に示すように、本体２１と、本体２１に設けられるカップ収容部２２と、光導体の導光部材２３と、導光部材２３に光を入れる照明用光源２４を、有する。ただし、導光部材２３と照明用光源２４は、必須の構成要件ではない。
【０００９】
カップ収容部２２は、複数設けられている（図示例では２個設けられている場合を示している）。以下、本発明実施例では、カップ収容部２２が２個設けられている場合を例にとって説明する。
導光部材２３は、アクリル樹脂製などの光導体である。導光部材２３は、無色であってもよく、着色されていてもよい。導光部材２３は、カップ収容部２２の全周にわたって設けられている。導光部材２３は、カップ収容部２２に面している。導光部材２３は、図２に示すように、カップ収容部２２の奥行き方向（上下方向）中間部に設けられる。導光部材２３は、照明用光源２４からの光を導入して光る。導光部材２３は、検出装置１０の後述の発光素子１１からの光の通路上に位置する。
照明用光源２４は、導光部材２３が設けられている場合にのみ設けられる。照明用光源２４は、たとえば、バルブ、発光ダイオード、ＥＬ（エレクトロルミネッセンス）等からなる。ただし、照明用光源２４は、これらに限定されるものではない。照明用光源２４は、図１に示すように、本体２１に取付けられる。照明用光源２４は、導光部材２３全体を均一に光らせるために、複数設けられていること望ましい（図示例では２個設けられている場合を示している）。
【００１０】
検出装置１０は、カップ収容部２２にカップが入れられたか否かを検出する装置である。検出装置１０がカップ収容部２２にカップが入れられたことを検出したとき、たとえば、（ａ）図示略のモータを駆動させて図示略のサポートがカップ側面をサポートするようにしてもよく、（ｂ）照明用光源２４をＯＮまたはＯＦＦして導光部材２３を光らせるまたは暗くするようにしてもよい。
検出装置１０は、発光素子１１と、受光素子１２と、反射部材１３を、有する。
【００１１】
発光素子１１と受光素子１２の一方は１個設けられ、発光素子１１と受光素子１２の他方は２個（カップ収容部２２と同数）設けられている。発光素子１１からの光は２つのカップ収容部２２の中心Ｏ１、Ｏ２を通って受光素子１２に達してもよく、Ｏ１、Ｏ２を通らずに受光素子１２に達してもよい。発光素子１１と受光素子１２は、導光部材２３が設けられている場合、導光部材２３の外周面に接して設けられていることが望ましい。
反射部材１３は、導光部材２３が設けられている場合、導光部材２３の外側面に面して設けられ、導光部材２３が設けられていない場合、カップ収容部２２の側面部にカップ収容部２２に面して設けられる。反射部材１３は、本体２１の一部からなっていてもよく、本体２１と別体に形成されて本体２１に固定して取付けられていてもよい。反射部材１３は、２つのカップ収容部２２が並ぶ方向（図１の左右方向）で、２つのカップ収容部２２の間に設けられる。反射部材１３は、発光素子１１からの光を受光素子１２に向けて反射させる。反射部材１３の反射面１３ａは、鏡面処理されていることが望ましい。
【００１２】
ここで、本発明実施例１と本発明実施例２にわたって共通する部分の作用を説明する。
（ｉ）  カップ収容部２２にカップが収容されていないとき
発光素子１１からの光が反射部材１３で反射し受光素子１２に達し、カップ収容部２２にカップが収容されていないことを検出できる。
（ｉｉ）  ２つのカップ収容部２２のうちの一方のカップ収容部２２ａにカップが収容されたとき
カップ収容部２２ａにカップが入ると発光素子１１の光がカップによって遮断され受光素子に１２に光が達しない。そのため、カップ収容部２２ａにカップが入ったことを検出できる。
２個のカップ収容部２２のうちの他方のカップ収容部２２ｂについても同様に、カップ収容部２２ｂにカップが入ると発光素子１１からの光がカップによって遮断され受光素子１２に光が達しず、カップ収容部２２ｂにカップが入ったことを検出できる。
【００１３】
本発明実施例では、導光部材２３が発光素子１１から受光素子１２への光路上に位置するので、カップ収容部２２の側面に発光素子から受光素子への光路用の穴を設けなくても発光素子１１からの光が受光素子１２に達する。そのため、光路用の穴をカップ収容部の側面に設ける場合に比べて、カップホルダ２０の見栄えが良い。
また、導光部材２３がカップ収容部２２の全周にわたって設けられているので、照明用光源２４からの光を導入して導光部材２３が光ることで、カップ収容部２２内を光らせることができる。そのため、意匠性が向上する。
【００１４】
つぎに、本発明各実施例に特有な部分を説明する。
[実施例１]（図１、図２）
本発明実施例１では、発光素子１１が１個からなり受光素子１２が２個（カップ収容部２２と同数）からなり、反射部材１３が、反射面１３ａに鏡面処理を施した本体２１自体からなる場合を示している。
発光素子１１は、２つのカップ収容部２２が並ぶ方向で、２つのカップ収容部２２の間に設けられる。発光素子１１は、２つのカップ収容部２２の間で、２つのカップ収容部２２の中心Ｏ１，Ｏ２を結ぶ直線からオフセットした位置に設けられている。
受光素子１２は、２つのカップ収容部２２のそれぞれに対応して１個づつ設けられている。受光素子１２は、中心Ｏ１，Ｏ２を結ぶ直線に対して、発光素子１１が設けられている側と同じ側に設けられている。
反射部材１３は、中心Ｏ１，Ｏ２を結ぶ直線に対して、発光素子１１が設けられている側と反対側に設けられている。
発光素子１１からの光は、２つのカップ収容部２２の間を通って反射部材１３で反射され、各カップ収容部２２ａ、２２ｂを通って受光素子１２に達する。
【００１５】
本発明実施例１では、発光素子１１が１個からなるので、各カップ収容部に１組づつ発光素子と受光素子を設ける場合に比べて、発光素子１１の数を少なくすることができる。
【００１６】
[実施例２]（図３）
本発明実施例２では、発光素子１１が２個（カップ収容部２２と同数）からなり受光素子１２が１個からなり、反射部材１３が本体２１と別体に形成されている場合を示している。
発光素子１１は、２つのカップ収容部２２のそれぞれに対応して１個づつ設けられている。発光素子１１は、中心Ｏ１，Ｏ２を結ぶ直線からオフセットした位置に設けられている。２つの発光素子１１は、交互に（順に）光る。
受光素子１２は、２つのカップ収容部２２ａ、２２ｂが並ぶ方向で、２つのカップ収容部２２ａ、２２ｂの間に設けられる。受光素子１２は、中心Ｏ１，Ｏ２を結ぶ直線に対して、発光素子１１が設けられている側と同じ側に設けられている。
反射部材１３は、中心Ｏ１，Ｏ２を結ぶ直線に対して、発光素子１１が設けられている側と反対側に設けられている。
発光素子１１からの光は、各カップ収容部２２ａ、２２ｂを通って反射部材１３で反射され、２つのカップ収容部２２の間を通って受光素子１２に達する。
【００１７】
本発明実施例２では、受光素子１２が１個からなるので、各カップ収容部に１組づつ発光素子と受光素子を設ける場合に比べて、受光素子１２の数を少なくすることができる。
【図面の簡単な説明】
【００１８】
【図１】本発明実施例１のカップホルダ容器検出装置が用いられたカップホルダの断面図である。
【図２】図１のＡ−Ａ線断面図である。
【図３】本発明実施例２のカップホルダ容器検出装置が用いられたカップホルダの断面図である。
【符号の説明】
【００１９】
１０  カップホルダ容器検出装置
１１  発光素子
１２  受光素子
１３  反射部材
１３ａ  反射面
２０  カップホルダ
２１  本体
２２、２２ａ、２２ｂ  カップ収容部
２３  導光部材
２４  照明用光源
【図１】
2006130955.tif 000003
【図２】
2006130955.tif 000004
【図３】
2006130955.tif 000005